(57)【特許請求の範囲】
【請求項１】
２４対以上であっても、カテゴリー６規格の性能を有するＬＡＮケーブルであって、
絶縁心線を寄り合わせて二本一組の対撚線とし、四組の前記対撚線をスペーサで各対撚線が非接触に隔離するようにシースで一括被覆してなるユニットを、複数本ずつ層を形成するように多層の円状に配置し、
前記各層の外周をプラスチックテープで被覆し、
最外層のプラスチックテープの外周を外被で被覆したことを特徴とする多対ＬＡＮケーブル。
【請求項２】
前記ユニットを２４組とし、
中央層に２組のユニットと２本の介在を配置してプラスチックテープで一括被覆し、
前記中央層の外周に８組のユニットを配置してプラスチックテープで一括被覆して第一層とし、
前記第一層の外周に１４組のユニットを配置してプラスチックテープで一括被覆して第二層として多層を形成したことを特徴とする請求項１に記載の多対ＬＡＮケーブル。
【請求項３】
前記ユニットを１２組とし、
中央層に３組のユニットを配置してプラスチックテープで一括被覆し、
前記中央層の外周に９組のユニットを配置してプラスチックテープで一括被覆して第一層として多層を形成した事を特徴とする請求項１に記載の多対ＬＡＮケーブル。
【発明の詳細な説明】
【技術分野】
【０００１】
本発明は、カテゴリー６規格の性質を有した多対ＬＡＮケーブルに関する。
【背景技術】
【０００２】
近年のイーサネット（登録商標）の高速・高性能化、及びインターネットの普及に伴い、ＬＡＮケーブルの配線数が増えており、ケーブルの多対化・高密度化が要求されている。
【０００３】
同一箇所に配線が多い場合、従来のケーブルでは、図４に示すような４対や図５に示すような２４対ケーブルを複数本並べて配線を行っていた。
【０００４】
しかしながら、従来のような配線方法では、ケーブル布設を繰り返し行うため施工時間が長くなり、また、それに伴い布設費用がかさむという問題があった。
【０００５】
また、同一ケーブルを並べて配線するため、ケーブル間で漏話が発生しデータ伝送に不具合が起こる可能性があった。
【０００６】
更に、２４対ケーブルを超えた多対ケーブルのためには、２４対ケーブルと同様な一層構造ではケーブル外径が太くなるため多層構造とする必要があるが、高周波２５０ＭＨｚまで対応するカテゴリー６ケーブルでは、隣接するユニットから漏話を受けやすくなり、ユニット数の増加により、近端漏話減衰量が悪化するという問題があった。
【先行技術文献】
【特許文献】
【０００７】
【特許文献１】特開２００６−２９４５９０号公報
【発明の概要】
【発明が解決しようとする課題】
【０００８】
そこで、本発明は、２４対以上であってもカテゴリー６の性能を有する多対ＬＡＮケーブルを提供する。
【課題を解決するための手段】
【０００９】
本発明は、上記の課題を解決するために、２４対以上であっても、カテゴリー６規格の性能を有するＬＡＮケーブルであって、絶縁心線６を寄り合わせて二本一組の対撚線５とし、四組の前記対撚線５をスペーサ７で各対撚線５が非接触に隔離してシース９で一括被覆してなるユニット２を、複数本ずつ層を形成して多層の円状に配置し、前記各層の外周をテープで被覆し、最外層のテープの外周を外被で被覆したことを特徴とする多対ＬＡＮケーブルの構成とした。
【００１０】
また、前記ユニット２を２４組とし、中央層に２組のユニットと２本の介在を配置してプラスチックテープで一括被覆し、前記中央層の外周に８組のユニットを配置してプラスチックテープで一括被覆して第一層とし、前記第一層の外周に１４組のユニットを配置してプラスチックテープで一括被覆して第二層として多層を形成したことを特徴とする多対ＬＡＮケーブルの構成とした。
【００１１】
また、前記ユニット２を１２組とし、中央層に３組のユニットを配置してプラスチックテープで一括被覆し、前記中央層の外周に８組のユニットを配置してプラスチックテープで一括被覆して第一層として多層を形成した事を特徴とする多対ＬＡＮケーブルの構成とした。
【発明の効果】
【００１２】
本発明は上記のような構成であるため、同一箇所の配線が多い場合であっても複数本のケーブルを繰り返し布設する必要が無く、短時間で施工が可能で、布設費用を抑えることができる。
【００１３】
また、カテゴリー６の性能を有しているため、高速・高性能化したイーサネット（登録商標）環境にも十分使用することができる。
【００１４】
更に、外径をできる限り細くすることができるため、従来の複数布設した場合と比べて場所を取ることがない。
【図面の簡単な説明】
【００１５】
【図１】本発明である多対ＬＡＮケーブルの断面図である。
【図２】本発明である多対ＬＡＮケーブルの第２実施例の断面図である。
【図３】近端漏話減衰量の測定値を比較したグラフである。
【図４】従来の４対ＬＡＮケーブルの断面図である。
【図５】従来の２４対ＬＡＮケーブルの断面図である。
【発明を実施するための形態】
【００１６】
以下、添付の図面を参照し、本発明の実施の形態について詳細に説明する。
【実施例１】
【００１７】
図１は、本発明である多対ＬＡＮケーブルの断面図である。
【００１８】
図１に示すように、本発明である多対ＬＡＮケーブル（１）は、２４対以上であっても、カテゴリー６規格の性能を有するＬＡＮケーブルであって、絶縁心線（６）を寄り合わせて二本一組の対撚線（５）とし、四組の前記対撚線（５）をスペーサ（７）で各対撚線（５）が非接触に隔離してシース（９）で一括被覆してなるユニット（２）を、複数本ずつ層を形成して多層の円状に配置し、前記各層の外周をプラスチックテープで被覆し、最外層のプラスチックテープの外周を外被（４）で被覆したことを特徴とする。
【００１９】
実施例１では、図１に示すように、前記ユニット（２）を２４組使用し、中央層（８）と第一層（８ａ）及び第二層（８ｂ）からなる多層とし、前記中央層（８）に２組のユニット（２、２）と２本の介在（３、３）を配置してプラスチックテープ（３ａ）で一括被覆し、前記中央層（８）の外周に８組のユニット（２、２、２・・・）を配置してプラスチックテープ（３ｂ）で一括被覆して第一層（８ａ）とし、前記第一層（８ａ）の外周に１４組のユニット（２、２、２・・・）を配置してプラスチックテープ（３ｃ）で一括被覆して第二層（８ｂ）として多層を形成したことを特徴とする多対ＬＡＮケーブル（１）とした。
【００２０】
前記絶縁心線（６）は、銅線からなる導体（６ａ）をポリエチレン等の絶縁樹脂からなる絶縁体（６ｂ）で被覆した心線であり、２本の前記絶縁心線（６、６）を寄り合わせて対撚線（５）を形成する。
【００２１】
前述の通り、ユニット（２）は、４組の前記対撚線（５、５、５、５）と、前記各対撚線（５、５、５、５）を非接触に隔離する略十字型のスペーサ（７）と、前記前記対撚線（５、５、５、５）及び前記スペーサ（７）を一括被覆するシース（９）からなる。
【００２２】
二組のユニット（２、２）と２本の介在（３、３）からなる前記中央層（８）は、プラスチックテープ（３ａ）で１／３ラップ重ね巻きして被覆されており、前記中央層（８）を囲む８組のユニット（２、２、２・・・）からなる第一層（８ａ）はプラスチックテープ（３ｂ）を１／４ラップ重ね巻きして被覆されており、前記第一層（８ａ）を囲む１４組のユニット（２、２、２・・・）からなる第二層（８ｂ）はプラスチックテープ（３ｃ）を１／４ラップ重ね巻きして被覆されている。尚、各層のユニット同士の寄り合わせピッチは適宜設定できるものとし、ピッチ間隔は限定していない。
【００２３】
一般に、通信ケーブルでは、１つの対撚線から他の対撚線への漏話を抑制するために、その間に金属テープ等による遮蔽層を設ける手法がとられているが、カテゴリー６の性能を有する多対ＬＡＮケーブルでは、従来のように金属テープを設けることにより特性インピーダンス、静電容量等に影響を及ぼし、高周波帯域での近端漏話減衰量の悪化が発生する。
【００２４】
本発明の多対ＬＡＮケーブルでは全周波数帯域で良好な近端漏話減衰量を達成するため、層間にプラスチックテープを設けた。また、プラスチックテープは非金属であるため、遮蔽層の設置が不要となり、施工性にも優れている。
【００２５】
ここで、図３を使用して、プラスチックテープを設けた場合の近端漏話減衰量の測定値と、プラスチックテープを金属テープに変えた場合の近端漏話減衰量の測定値を比較する。
【００２６】
測定値は、１つの対撚線（５）に対してのケーブル内の残りの９５本の対撚線（５）の近端漏話減衰量の電力和となり、代表値としてユニット（２）の対撚線（５）の４本についてそれぞれ重ねてプロットした。
【００２７】
図３（Ａ）は、各層間に金属テープを設けた場合の近端漏話減衰量の測定値を示しており、（Ｂ）は、各層間にプラスチックテープを設けた場合の近端漏話減衰量の測定値を示している。各図において右下がりの直線はＴＩＡ／ＥＩＡのカテゴリー６規格値である。
【００２８】
図３に示すように、金属テープを設けた場合（Ａ）では、高周波帯域での悪化が見られるが、本発明のようにプラスチックテープを設けた場合（Ｂ）では、全周波数帯域において規格値に対して良好な結果が得られている。
【実施例２】
【００２９】
図２は、本発明である多対ＬＡＮケーブルの第２実施例の断面図である。
【００３０】
図２に示すように、多対ＬＡＮケーブル（１ａ）は、実施例１で示した多対ＬＡＮケーブル（１）とほぼ同じ構成をしている。即ち、多対ＬＡＮケーブル（１ａ）は、２４対以上であっても、カテゴリー６規格の性能を有するＬＡＮケーブルであって、絶縁心線（６）を寄り合わせて二本一組の対撚線（５）とし、四組の前記対撚線（５）をスペーサ（７）で各対撚線（５）が非接触に隔離してシース（９）で一括被覆してなるユニット（２）を、複数本ずつ層を形成して多層の円状に配置し、前記各層の外周をプラスチックテープで被覆し、最外層のプラスチックテープの外周を外被で被覆したことを特徴とする。
【００３１】
実施例１と実施例２で異なる点は、使用するユニット（２）の数、設けた層の数、中央層８におけるユニット（２）の数、中央層８における介在（３）の有無である。
【００３２】
即ち、多対ＬＡＮケーブル（１ａ）は、前記ユニット（２）を１２組とし、中央層（８）に３組のユニット（２、２、２）を配置してプラスチックテープ（３ｄ）で一括被覆し、前記中央層（８）の外周に８組のユニット（２、２、２・・・）を配置してプラスチックテープ（３ｅ）で一括被覆して第一層（８ａ）として多層を形成した事を特徴とする。
【産業上の利用可能性】
【００３３】
本発明であるＬＡＮケーブルは、カテゴリー６の性能を有した状態で２４対以上のＬＡＮケーブルを一度に配線することができるため、ネットワークを構築する様々な領域に多大な貢献をもたらす。
【符号の説明】
【００３４】
１    多対ＬＡＮケーブル
１ａ  多対ＬＡＮケーブル
２    ユニット
３    介在
３ａ  プラスチックテープ
３ｂ  プラスチックテープ
３ｃ  プラスチックテープ
３ｄ  プラスチックテープ
３ｅ  プラスチックテープ
４    外被
５    対撚線
６    絶縁心線
６ａ  導体
６ｂ  絶縁体
７    スペーサ
８    中央層
８ａ  第一層
８ｂ  第二層
【図３】
0005347167.tif 000002
【図１】
0005347167.tif 000003
【図２】
0005347167.tif 000004
【図４】
0005347167.tif 000005
【図５】
0005347167.tif 000006